(57)【特許請求の範囲】
【請求項１】
第一接点基板である内底面の同一半径上の所定角度位置毎にそれぞれ配設された第一固定接点および、この第一固定接点全体を所定のギャップをあけて覆う大きさの円形ドーム形状で、中央に貫通孔を有する弾性金属薄板製の弾性可動接点からなる第一スイッチを内包すると共に、上面中央に円形開口部を有する第一ケース部と、この第一ケース部内に収容され、上面外周の球状部が上記円形開口部下面に対し回動傾倒可能に当接し、中央孔に、上部が操作レバーとなる操作軸が回転および上下動可能に係合して貫通すると共に、下面に、上記第一ケース部の各第一固定接点に対応する位置において上記弾性可動接点の上面に当接する所定の突部を有する第一駆動体と、上記第一ケース部の下方に同心状に重ねられて貫通孔により繋がるように連結され、第二接点基板である内底面の中央に押圧することにより動作する中央スイッチを、その周囲の所定半径位置に第二固定接点をそれぞれ有する第二ケース部と、上下部を回転可能に支持され、下面に上記第二固定接点と係合して電気信号を発生する回転信号発生部用の回転可動接点を有する外円筒状部および、上記第一スイッチの弾性可動接点の貫通孔を通った上記操作軸の下方部分と結合固定した内円筒状部並びに、両者の間を回転方向には連動するが上下方向には伸縮するように繋ぐ連結部とが弾性を有する樹脂で一体形成され、上記第二ケース部内に収容された第二駆動体とからなる複合操作型電子部品。
【請求項２】
第二駆動体の連結部が、外円筒状部と内円筒状部の間に所定の細桟リングが同心円状に繋がれたジンバル構造である請求項１記載の複合操作型電子部品。
【請求項３】
第二駆動体の連結部が、外円筒状部と内円筒状部の間を湾曲した薄肉帯状部で繋ぐ構造である請求項１記載の複合操作型電子部品。
【請求項４】
回転信号発生部が回転型エンコーダである請求項１記載の複合操作型電子部品。
【請求項５】
第一ケース部の底部下面と第二駆動体に設けたクリックばねおよび放射状凹凸部により、操作レバーの回転操作時に節度感を生じる構成とした請求項１記載の複合操作型電子部品。
【発明の詳細な説明】
【０００１】
【発明の属する技術分野】
本発明は、主として各種電子機器の集中コントロールシステムなどに使用され、操作レバーの傾倒操作、回転操作および押圧操作により駆動される複合操作型電子部品に関するものである。
【０００２】
【従来の技術】
従来のこの種の複合操作型電子部品としては、特開平１０−２４１５０１号公報に記載されたプッシュスイッチ付複合操作型電子部品が知られており、その内容について、図８〜図１１を用いて説明する。
【０００３】
図８は従来のプッシュスイッチ付複合操作型電子部品の外観斜視図、図９は図８のＰ−Ｐ線における断面図、図１０は分解斜視図である。
【０００４】
同図に示すように、下方開放のコの字形の金属カバー１と四角形状の枠体２および固定接点基板部３により形成された箱型ケースには、上面中央に円形開口孔１Ａが設けられると共に、下部の固定接点基板部３には、中央に一個およびその外周に複数個の、下方に押すことにより動作するプッシュスイッチ７Ａおよび７Ｂ，７Ｃ，…が配設され、更に固定弾性接点８が上方に突出して設けられている。
【０００５】
そして、箱型ケースの中間壁部４に回転可能に保持された回転体９には、上記の固定弾性接点８に対応した可動接点としての接点板１０が保持されている。
【０００６】
また、１２は操作体で、水平断面が多角形である下端の多角形球体１２Ａが回転体９中央の多角形の貫通孔９Ａに、独立して上下動および傾倒可能であるが共回りするように係合すると共に、その下面は中央のプッシュスイッチ７Ａに当接しており、上方に伸びた円形の操作レバー１２Ｂが駆動体１３の中央円形孔１３Ａを貫通して箱型ケース上面の円形開口部１Ａから突出している。
【０００７】
そして、駆動体１３は略多角形の板状で、上面中央の球状突部１３Ｂが箱型ケース上面の円形開口部１Ａ下面に対して回転傾倒可能に当接すると共に、その中央円形孔１３Ａには操作体１２の操作レバー１２Ｂが上下動および回転可能に係合している。
【０００８】
さらに、駆動体１３は、上記外周のプッシュスイッチ７Ｂ，７Ｃ，…に各々当接する突部１４Ａ，１４Ｂ，…を下面に有している。
【０００９】
なお、１１は回転操作時に節度感を発生するためのクリックばねである。
【００１０】
このような構成のプッシュスイッチ付複合操作型電子部品の動作について説明すると、まず、操作レバー１２Ｂに横方向の押し力を加えて、図８および図９に矢印Ｘで示す右方向に傾倒操作すると、図１１に示すように、操作体１２は下端の多角形球体１２Ａを中心として右方向に回動し、これに伴って操作レバー１２Ｂの中間に係合している駆動体１３がＸＩ方向に回動して傾倒し、その方向に応じた下端部の突部１４Ａが外周のプッシュスイッチ７Ｂを下方に押して動作させる。
【００１１】
そして、操作レバー１２Ｂに加えた横方向の押し力を除くと、プッシュスイッチ７Ｂの弾性復元力によって突部１４Ａすなわち駆動体１３は押し戻されて、操作体１２を元の図９の中立位置に復帰させる。
【００１２】
次に、操作レバー１２Ｂを回転操作して操作体１２を中立位置のままで水平回転させると、駆動体１３は動かないで操作体１２の下端の多角形球体１２Ａと共回りするように係合している回転体９が回転させられ、その下面の接点板１０に対して固定弾性接点８が弾接摺動して電気信号を発生する。
【００１３】
また、操作レバー１２Ｂに下向きの押し力を加えて、図８および図９に矢印Ｖで示すように下方へ押圧操作すると、駆動体１３および回転体９は動かないで、操作体１２下端の多角形球体１２Ａの下面が中央のプッシュスイッチ７Ａを下方に押して動作させることができるものであった。
【００１４】
【発明が解決しようとする課題】
しかしながら上記従来のプッシュスイッチ付複合操作型電子部品においては、操作レバー１２Ｂを押圧操作して中央のプッシュスイッチ７Ａを動作させる際に、操作体１２の上下動が回転体９に伝わらない構成とするために、操作体１２下端の多角形球体１２Ａと回転体９中央の多角形の貫通孔９Ａの係合が若干隙間を設けた嵌合となっているため、操作レバー１２Ｂを回転操作して、操作体１２を介して回転体９を回転させて電気信号を発生させる際に、上記係合部の隙間が回転方向の遊びを生じて、特に回転方向を反転させる時に、操作する人の手にガタツキを感じるという課題があった。
【００１５】
また、箱型ケース下面の固定接点基板部３の外周に設ける複数個のプッシュスイッチ７Ｂ，７Ｃ，…は個別に独立したスイッチを配設するものであるために、複合操作型電子部品全体としての構成部材数が多くなってコスト高であるという課題もあった。
【００１６】
本発明は、このような従来の課題を解決するものであり、操作レバーを回転操作し、回転部材を駆動して電気信号を発生させる際に、ガタツキを生じることがないと共に、全体としての構成部材数が少なく安価な複合操作型電子部品を提供することを目的とする。
【００１７】
【課題を解決するための手段】
上記目的を達成するために本発明は、以下の構成を有するものである。
【００１８】
本発明の請求項１に記載の発明は、第一接点基板である内底面の同一半径上の所定角度位置毎にそれぞれ配設された第一固定接点および、第一固定接点全体を所定のギャップをあけて覆う大きさの円形ドーム形状で、中央に貫通孔を有する弾性金属薄板製の弾性可動接点からなる第一スイッチを内包すると共に、上面中央に円形開口部を有する第一ケース部と、第一ケース部内に収容され、上面外周の球状部が円形開口部下面に対し回動傾倒可能に当接し、中央孔に、上部が操作レバーとなる操作軸が回転および上下動可能に係合して貫通すると共に、下面に、第一ケース部の第一固定接点に対応する位置において弾性可動接点の上面に当接する所定の突部を有する第一駆動体と、第一ケース部の下方に同心状に重ねられて貫通孔により繋がるように連結され、第二接点基板である内底面の中央に押圧することにより動作する中央スイッチを、周囲の所定半径位置に第二固定接点をそれぞれ有する第二ケース部と、上下部を回転可能に支持され、下面に第二固定接点と係合して電気信号を発生する回転信号発生部用の回転可動接点を有する外円筒状部および、第一スイッチの弾性可動接点の貫通孔を通った操作軸の下方部分と結合固定した内円筒状部並びに、両者の間を回転方向には連動するが上下方向には伸縮するように繋ぐ連結部とが弾性を有する樹脂で一体形成されて第二ケース部内に収容された第二駆動体とからなる複合操作型電子部品としたものであり、操作レバーを傾倒操作すると第一スイッチが、回転操作すると回転信号発生部が、押圧操作すると中央スイッチがそれぞれ独立して動作すると共に、操作レバーを回転操作して電気信号を発生させる際にガタツキを生じることがなく、更に、全体としての構成部材数が少なく安価な複合操作型電子部品を実現できるという作用効果を有する。
【００１９】
請求項２に記載の発明は、請求項１記載の発明において、特に、第二駆動体の連結部が、外円筒状部と内円筒状部の間に所定の細桟リングが同心円状に繋がれたジンバル構造であるものであり、第二駆動体の連結部を製作する金型の構造が簡単で安価に製作できるという作用効果を有する。
【００２０】
請求項３に記載の発明は、請求項１記載の発明において、特に、第二駆動体の連結部が、外円筒状部と内円筒状部の間を湾曲した薄肉帯状部で繋ぐ構造であるものであり、操作レバーの回転操作時における第二駆動体の連結部のしなりによる外円筒状部と内円筒状部の間の角度ズレが小さいという作用効果を有する。
【００２１】
請求項４に記載の発明は、請求項１記載の発明において、特に、回転信号発生部が回転型エンコーダであるものであり、多種の電子機器の出力調整などに使用される汎用性の高い、回転型エンコーダを有する複合操作型電子部品を提供することができるという作用効果を有する。
【００２２】
請求項５に記載の発明は、請求項１記載の発明において、特に、第一ケース部の底部下面と第二駆動体に設けたクリックばねおよび放射状凹凸部により、操作レバーの回転操作時に節度感を生じる構成としたものであり、操作レバーの回転操作を所定の回転トルクの一定したステップ間隔で、安定した状態で行なうことができると共に、操作レバーの傾倒操作時や押圧操作時に、回転信号発生用の回転部材が動かないで安定位置を保つという作用効果を有する。
【００２３】
【発明の実施の形態】
以下、本発明の実施の形態について、図１〜図７を用いて説明する。
【００２４】
（実施の形態）
図１は本発明の一実施の形態による複合操作型電子部品の正面断面図、図２は分解斜視図である。
【００２５】
同図において、２１は樹脂製の第一ケースで、第一接点基板２２としての内底面には、それぞれ接続端子を有する八つの第一固定接点２３（２３Ａ，２３Ｂ，…，２３Ｈ）が同一半径上の等角度位置に配設されると共に、この八つの第一固定接点２３全体を所定のギャップをあけて覆う大きさの円形ドーム形状で、中央に貫通孔２４Ａを有する弾性金属薄板製の弾性可動接点２４が同心状に配設されて、両者で第一スイッチ２５を構成している。
【００２６】
この第一スイッチ２５の弾性可動接点２４上に載せられた２６は第一駆動体で、上面外周の球状部２６Ａが第一ケース２１の上方開口部を覆う蓋板２７中央の円形開口部２７Ａに対して回動傾倒可能に当接していると共に、その下面に設けられた、第一スイッチ２５の第一固定接点２３の配列位置とほぼ同一半径の円形リング状の突部２６Ｂが、弾性可動接点２４のドーム形状の上面に当接することによって、中立位置を保っている。
【００２７】
そして、この第一駆動体２６の中央孔２６Ｃには操作軸２８の円形部２８Ｂが回転および上下動可能に係合していると共に、その上部は操作レバー２８Ａとして上方に突出しており、通常状態において、垂直な中立位置となっている。
【００２８】
更に、第一ケース２１の下方には第二ケース２９が同心状に重ねられて第一ケース２１の貫通孔２２Ａにより繋がれるように連結され、第二接点基板３０としてのその内底面の中央には、固定接点３１と小径の円形ドーム形状の可動接点３２からなる中央スイッチ３３が、また、その周囲の所定半径位置には、円形櫛歯状の第二固定接点３６がそれぞれ配設され、第二ケース２９の外周には、それぞれの接続端子が設けられている。
【００２９】
この中央スイッチ３３は、中央固定接点３１Ａと周辺固定接点３１Ｂからなる固定接点３１に対して、弾性金属薄板からなる可動接点３２の円形ドーム形状の中央下面が中央固定接点３１Ａと所定のギャップをあけて対峙するように、その外周下端を周辺固定接点３１Ｂ上に載せられたものである。
【００３０】
そして、この中央スイッチ３３の可動接点３２の中央上面に載せられた押圧体３４上に、第一ケース２１の貫通孔２２Ａから下方に突出している上記の操作軸２８の下端部２８Ｄが当接している。
【００３１】
また、第二ケース２９内に収容された３５は熱可塑性エラストマー等の弾性を有する樹脂で形成された第二駆動体で、第一ケース２１の下面と第二ケース２９の底面との間で上下部を回転可能に支持された外方の外円筒状部３５Ａおよび、上記操作軸２８の下方の非円形部分２８Ｃが圧入されてガタツキのないように結合固定された内円筒状部３５Ｂ並びに、外円筒状部３５Ａと内円筒状部３５Ｂとの間を、回転方向には連動するが上下方向には伸縮するように繋ぐ連結部３５Ｃから構成されている。
【００３２】
そして、外円筒状部３５Ａの下面には、回転可動接点としての回転弾性接点３７が保持されていて、図３の回転信号発生部の概念図に示すように、上記第二ケース２９内底面の円形櫛歯状の第二固定接点３６と係合して、回転信号としてのパルス信号を発生する回転型エンコーダ部３８を構成している。
【００３３】
更に、連結部３５Ｃは外円筒状部３５Ａおよび内円筒状部３５Ｂと一体に樹脂形成されたジンバル構造となっていて、図４の第二駆動体の平面図にハッチングにて示すように、外円筒状部３５Ａおよび内円筒状部３５Ｂと同心円状に配設された細桟リング３９が外円筒状部３５Ａの内周および内円筒状部３５Ｂの外周と直交する二箇所ずつで繋がれており、これによって外円筒状部３５Ａと内円筒状部３５Ｂとの間は、回転方向には連動するが上下方向には伸縮するように連結されている。
【００３４】
なお、このジンバル構造の連結部３５Ｃを有する第二駆動体３５を製作する金型の構造は、簡単で安価に製作することができ、また、ジンバル構造を構成する細桟リング３９は一つとは限らず、伸縮の条件に応じて、複数個を同心状に配列してもよい。
【００３５】
そして、以上のように積み重ねられた第一ケース２１上の蓋板２７の上部と第二ケース２９の下面の間を下方開放のコの字形の金属カバー４０でカシメ結合することによって、本実施の形態による複合操作型電子部品は一体化されている。
【００３６】
なお、４１は弾性金属薄板製のクリックばねで、第一ケース２１の底部下面に固定されて、第二駆動体３５の回転時に、外円筒状部３５Ａに設けられた放射状凹凸部３５Ｄと係合して節度感を生じるものである。
【００３７】
本実施の形態による複合操作型電子部品は以上のように構成されるものであり、次にその動作について説明する。
【００３８】
図１に示す中立位置において、まず、第一駆動体２６から上方に突出した操作軸２８上部の操作レバー２８Ａに横方向の押し力を加えて、図１に矢印Ｘで示す方向に傾倒操作すると、図５の傾倒操作する場合の正面断面図に示すように、操作軸２８および第一駆動体２６は、蓋板２７の円形開口部２７Ａに当接した第一駆動体２６上面外周の球状部２６Ａを中心として、同図にＸＩで示す右方向に回動して傾倒する。
【００３９】
これに伴って、第一駆動体２６下面の円形リング状の突部２６Ｂも傾き、傾倒方向の下面に当接した第一スイッチ２５の円形ドーム形状の弾性可動接点２４の一部分２４Ｂを下方に押して、図５に示すように、部分的に弾性反転させる。
【００４０】
そして、弾性可動接点２４の弾性反転した一部分２４Ｂは、下方に配設された第一接点基板２２上の八つの第一固定接点２３のうちの、傾倒方向に位置する二つの第一固定接点２３Ａと２３Ｂに接触して両者の間を短絡させ、その信号はそれぞれの接続端子から外部へ導出される。
【００４１】
この時、第二駆動体３５の内円筒状部３５Ｂと係合した操作軸２８下方の非円形部分２８Ｃは、内円筒状部３５Ｂと繋がれたジンバル構造の連結部３５Ｃの細桟リング３９が弾性変形して少し撓むことにより、操作軸２８の傾倒方向とは反対方向へ動き、これに伴って、操作軸２８の下端部２８Ｄは押圧体３４との当接部で少し横滑りする。
【００４２】
この後、操作軸２８上部の操作レバー２８Ａに加える横方向の押し力を除くと、一部分２４Ｂが弾性反転していた第一スイッチ２５の弾性可動接点２４が、自身の弾性復元力によって元の円形ドーム形状に復帰しようとして、第一駆動体２６下面の突部２６Ｂを上方に押し戻すことによって、第一駆動体２６および操作軸２８は元の中立位置へ復帰する。
【００４３】
この時、操作軸２８下方の非円形部分２８Ｃと係合した第二駆動体３５の連結部３５Ｃの細桟リング３９も元の形状に弾性復帰しようとして、駆動軸２８が中立位置に戻るのを助ける。
【００４４】
このように、操作軸２８上部の操作レバー２８Ａを所望の方向へ傾倒操作して円形ドーム形状の弾性可動接点２４を部分的に弾性反転させることにより、操作レバー２８Ａの傾倒方向に対応した信号を第一スイッチ２５の接続端子から導出することができる。
【００４５】
すなわち、この第一スイッチ２５は、操作レバー２８Ａの傾倒操作方向の数に対応した第一固定接点２３に対して、一つの弾性可動接点２４を配設するものであるから、構成部材数が少ない。
【００４６】
なお、操作レバー２８Ａを傾倒操作すべき方向が限定されている場合等では、第一スイッチ２５の弾性可動接点２４を押圧して部分反転させる第一駆動体２６下面の突部２６Ｂを、一体の円形リング状ではなくて傾倒操作すべき方向にそれぞれ独立した突部とすれば、より誤動作の少ないものとすることができる。
【００４７】
次に、操作軸２８の操作レバー２８Ａを中立位置のままで回転操作すると、操作軸２８の円形部２８Ｂと係合した第一駆動体２６は動かないで、非円形部分２８Ｃと内円筒状部３５Ｂが結合した第二駆動体３５が回転させられる。
【００４８】
すなわち、第二駆動体３５の内円筒状部３５Ｂとジンバル構造の連結部３５Ｃにより繋がれた外円筒状部３５Ａが回転させられ、その下面に保持された回転弾性接点３７が、図３に示したように、第二ケース２９内底面の円形櫛歯状の第二固定接点３６上を弾接摺動することによって回転信号としてのパルス信号を発生すると共に、クリックばね４１のダボ４１Ａ（図２参照）が外円筒状部３５Ａに設けられた放射状凹凸部３５Ｄ上を弾接しながら回転して、パルス信号に同期した節度感を発生する。
【００４９】
そして、発生したパルス信号は第二固定接点３６の接続端子から外部へ導出される。
【００５０】
この回転操作時に、操作軸２８の非円形部分２８Ｃと第二駆動体３５の内円筒状部３５Ｂとは圧入結合されているので、この部分でガタツキを生じることはなく、また、ジンバル構造の連結部３５Ｃの細桟リング３９が多少弾性変形するが、これによって操作レバー２８Ａを回転操作する人の手にガタツキを感じることはない。
【００５１】
なお、上記の説明では、第二駆動体３５の外円筒状部３５Ａに保持された回転弾性接点３７が第二ケース２９内底面の円形櫛歯状の第二固定接点３６上を弾接摺動してパルス信号を発生するとしたが、この可動接点と固定接点の配置を逆にして、回転する円形櫛歯状の可動接点に対して弾性固定接点が弾接摺動するようにしてもよい。
【００５２】
また、以上の説明では、回転信号発生部が、電子機器の出力調整等に汎用性の高いパルス信号を発生する回転型エンコーダであるとして説明したが、これを回転操作により抵抗値が変化する回転型可変抵抗器としてもよいものである。
【００５３】
更に、操作軸２８の操作レバー２８Ａに下向きの押し力を加えて、図１に矢印Ｖで示すように下方へ押圧操作すると、図６の押圧操作する場合の正面断面図に示すように、第一駆動体２６は動かずに操作軸２８のみが垂直下方へ動き、その下端部２８Ｄが押圧体３４を介して中央スイッチ３３の円形ドーム形状の可動接点３２の中央上面を下方に押し、図６に示すように、その中央部を弾性反転させて、下方の中央固定接点３１Ａに接触させる。
【００５４】
すなわち、可動接点３２の外周下端が載せられた周辺固定接点３１Ｂと中央固定接点３１Ａとの間を短絡して、中央スイッチ３３をＯＮ状態とし、その信号は固定接点３１の接続端子から外部へ導出される。
【００５５】
この押圧操作時に、操作軸２８下方の非円形部分２８Ｃと結合した第二駆動体３５の内円筒状部３５Ｂは、外円筒状部３５Ａと繋がれたジンバル構造の連結部３５Ｃの細桟リング３９が弾性変形して少し撓むことにより、操作軸２８と共に下方へ動く。
【００５６】
この後、操作レバー２８Ａに加える下向きの押し力を除くと、弾性反転していた中央スイッチ３３の可動接点３２が自身の弾性復元力によって元の円形ドーム形状に復帰しようとして、操作軸２８の下端部２８Ｄを上方に押し戻すことにより操作軸２８は元の図１の位置へ復帰する。
【００５７】
この時、操作軸２８下方の非円形部分２８Ｃと係合した第二駆動体３５の構造部３５Ｃの細桟リング３９も元の形状に弾性復帰しようとして、操作軸２８が元の位置に戻るのを助ける。
【００５８】
このように本実施の形態によれば、回転型エンコーダ部の回転弾性接点３７を保持する第二駆動体３５の外円筒状部３５Ａが、操作軸２８と結合固定された内円筒状部３５Ｂに対し、回転方向には連動するが上下方向には伸縮するジンバル構造の連結部３５Ｃで繋がれているので、操作レバー２８Ａの回転操作時にガタツキを生じることがなく、また、第一スイッチ２５の複数個の第一固定接点２３に対して一つの弾性可動接点２４を使用するだけであるので、全体としての構成部材数が少なく安価な複合操作型電子部品を実現できるものである。
【００５９】
なお、上記の説明において、第二駆動体３５の外円筒状部３５Ａと内円筒状部３５Ｂを繋ぐ連結部３５Ｃは、細桟リング３９と直交する二箇所ずつで繋がれたジンバル構造であるとしたが、図７（ａ）の他の構成の複合操作型電子部品の正面断面図に示すように、第二駆動体４２の外円筒状部４２Ａと内円筒状部４２Ｂの間を繋ぐ連結部４２Ｃを湾曲した薄肉帯状部で形成することもできる。
【００６０】
このような構成の連結部４２Ｃとすることによって、図７（ｂ）および（ｃ）に示すように、操作軸２８の操作レバー２８Ａの傾倒操作時および押圧操作時に、連結部４２Ｃの薄肉帯状部が弾性変形して第一スイッチ２５および中央スイッチ３３を動作させることができると共に、操作レバー２８Ａの回転操作時における連結部４２Ｃのしなりによる外円筒状部４２Ａと内円筒状部４２Ｂの間の角度ズレを小さくすることができる。
【００６１】
【発明の効果】
以上のように本発明によれば、操作レバーを傾倒操作すると第一スイッチが、回転操作すると回転信号発生部が、押圧操作すると中央スイッチがそれぞれ動作すると共に、操作レバーを回転操作して回転部材を駆動して電気信号を発生させる際に、ガタツキを生じることがないと共に、全体としての構成部材数が少なく安価な複合操作型電子部品を実現できるという有利な効果が得られる。
【図面の簡単な説明】
【図１】本発明の一実施の形態による複合操作型電子部品の正面断面図
【図２】同分解斜視図
【図３】同回転信号発生部の概念図
【図４】同要部である第二駆動体の平面図
【図５】同操作レバーに横方向の押し力を加えて傾倒操作する場合の正面断面図
【図６】同操作レバーに下向きの押し力を加えて押圧操作する場合の正面断面図
【図７】（ａ）同他の構成の複合操作型電子部品の正面断面図
（ｂ）同操作レバーに横方向の押し力を加えて傾倒操作する場合の正面断面図
（ｃ）同操作レバーに下向きの押し力を加えて押圧操作する場合の正面断面図
【図８】従来のプッシュスイッチ付複合操作型電子部品の外観斜視図
【図９】同図８のＰ−Ｐ線における断面図
【図１０】同分解斜視図
【図１１】同操作レバーに横方向の押し力を加えて傾倒操作する場合の正面断面図
【符号の説明】
２１  第一ケース
２２  第一接点基板
２２Ａ  貫通孔
２３，２３Ａ〜２３Ｈ  第一固定接点
２４  弾性可動接点
２４Ａ  貫通孔
２４Ｂ  一部分
２５  第一スイッチ
２６  第一駆動体
２６Ａ  球状部
２６Ｂ  突部
２６Ｃ  中央孔
２７  蓋板
２７Ａ  円形開口部
２８  操作軸
２８Ａ  操作レバー
２８Ｂ  円形部
２８Ｃ  非円形部分
２８Ｄ  下端部
２９  第二ケース
３０  第二接点基板
３１  固定接点
３１Ａ  中央固定接点
３１Ｂ  周辺固定接点
３２  可動接点
３３  中央スイッチ
３４  押圧体
３５，４２  第二駆動体
３５Ａ，４２Ａ  外円筒状部
３５Ｂ，４２Ｂ  内円筒状部
３５Ｃ，４２Ｃ  連結部
３５Ｄ  放射状凹凸部
３６  第二固定接点
３７  回転弾性接点
３８  回転型エンコーダ部
３９  細桟リング
４０  金属カバー
４１  クリックばね
４１Ａ  ダボ
【図１】
0003864812.tif 000002
【図２】
0003864812.tif 000003
【図３】
0003864812.tif 000004
【図４】
0003864812.tif 000005
【図５】
0003864812.tif 000006
【図６】
0003864812.tif 000007
【図７】
0003864812.tif 000008
【図８】
0003864812.tif 000009
【図９】
0003864812.tif 000010
【図１０】
0003864812.tif 000011
【図１１】
0003864812.tif 000012